(57)【要約】【課題】異なるフォーマットに対応した複数の記録層を有するハイブリッドディスクから情報を再生し、もしくは記録層が対応するフォーマット（規格）に応じて、記録媒体に情報を記録する際の起動時間を低減可能な情報記録再生装置及び情報記録再生方法を提供する。【解決手段】この発明の１つの実施の形態を用いることで、異なるフォーマットの２以上の記録層が一体に形成されたハイブリッドディスクから情報を読み出す際の起動処理時に、ハイブリッドディスクの特定の記録層に限定し、限定された記録層に記録されている情報を読み出すから起動処理を実行可能に、起動時の設定を変更し、変更された起動処理において、ＡＴＡＰＩに準拠したインターフェースによりハイブリッドディスクの特定の記録層から情報を読み出し、読み出された出力を、表示あるいは再生するために要求される起動時間が低減される。【選択図】      図６
2008293592.tif 000002
【特許請求の範囲】
【請求項１】
ディスク状の記録媒体に記録されている情報を読み出すディスクドライブユニットと、
前記ディスクドライブユニットと一体的に設けられ、記録媒体に記録されている情報に対応する出力を表示あるいは再生する情報再生装置本体と、
前記ディスクドライブユニットにより記録媒体から情報を読み出す際の起動時のシーケンスを、記録媒体の記録層のフォーマットに基いて変更可能とする設定処理装置と、
を有する情報記録再生装置。
【請求項２】
前記情報再生装置本体は、記録媒体が異なるフォーマットの２以上の記録層を含む場合に最初に再生すべきフォーマットが与えられた記録層を任意に設定可能であることを特徴とする請求項１記載の情報記録再生装置。
【請求項３】
前記情報再生装置本体は、記録媒体がハイブリットディスクである場合に、設定されたフォーマットが与えられた記録層に対応する起動処理に限定された起動処理を実行することを特徴とする請求項１記載の情報記録再生装置。
【請求項４】
前記ディスクドライブユニットは、前記設定処理装置において設定されている起動処理時のフォーマットに基いて、記録媒体への起動処理を実行することを特徴とする請求項３記載の情報記録再生装置。
【請求項５】
異なるフォーマットの２以上の記録層が一体に形成されたハイブリッドディスクの任意の記録層に記録されている情報を読み出すディスクドライブユニットと、
前記ディスクドライブユニットに対してＡＴＡＰＩに準拠したインターフェースにより接続され、ハイブリッドディスクの任意の記録層からの情報の読み取りを指示可能で、読み出された出力を表示あるいは再生する情報再生装置本体と、
前記ディスクドライブユニットを用いてハイブリッドディスクから情報を読み出す際の起動処理時に、ハイブリッドディスクの特定の記録層に限定し、限定された記録層に記録されている情報を読み出すから起動処理を実行可能に、起動時の設定を変更する設定処理装置と、
を有する情報記録再生装置。
【請求項６】
前記ディスクドライブユニットは、前記設定処理装置において設定されている起動処理時のフォーマットに基いて、記録媒体への起動処理を実行することを特徴とする請求項５記載の情報記録再生装置。
【請求項７】
異なるフォーマットの２以上の記録層が一体に形成されたハイブリッドディスクから情報を読み出す際の起動処理時に、ハイブリッドディスクの特定の記録層に限定し、限定された記録層に記録されている情報を読み出すから起動処理を実行可能に、起動時の設定を変更し、
変更された起動処理において、ＡＴＡＰＩに準拠したインターフェースによりハイブリッドディスクの特定の記録層から情報を読み出し、
読み出された出力を表示あるいは再生する
ことを特徴とする情報再生方法。
【請求項８】
異なるフォーマットの２以上の記録層が一体に形成されたハイブリッドディスクに情報を記録する際の起動処理時に、ハイブリッドディスクの特定の記録層に限定し、限定された記録層に対して情報を記録するための起動処理を実行可能に、起動時の設定を変更し、
変更された起動処理において、ＡＴＡＰＩに準拠したインターフェースによりハイブリッドディスクの特定の記録層に情報を記録する
ことを特徴とする情報記録方法。
【発明の詳細な説明】
【技術分野】
【０００１】
この発明は、異なるフォーマットに対応した複数の記録層を有する記録媒体から情報を再生し、もしくは記録層が対応するフォーマット（規格）に応じて記録媒体に情報を記録する際の起動時間である待ち時間を低減可能な情報記録再生装置及び情報記録再生方法に関する。
【背景技術】
【０００２】
光ディスクを記録媒体として提供される映像及びオーディオ情報（音声）を再生可能な装置として、ＤＶＤ規格（フォーマット）の光ディスクから映像を再生するプレーヤ装置（情報再生装置）や、光ディスクに映像情報を記録可能なレコーダ装置（情報記録再生装置）が実用化されて久しい。
【０００３】
今日、ＤＶＤ規格を発展させたＨＤ（Ｈｉｇｈ  Ｄｅｆｉｎｉｔｉｏｎ）  ＤＶＤ規格の光ディスクや、ＨＤ  ＤＶＤ規格と同様に１枚のディスクに多くの映像を高密度に記録可能なＢｌｕ−Ｒａｙ（ブルーレイ）規格の光ディスクも既に実用化され、それぞれ、プレーヤ装置やレコーダ装置が入手可能である。
【０００４】
反面、複数の規格化団体から数多くのフォーマット（規格）が提案されている。
【０００５】
それらのフォーマットの大多数は、半径・センターホールの位置・ディスクの厚さ・回転方向といった物理パラメータを共有する一方で、記録層の深さ・レーザーダイオードが出力する光（レーザー光）の波長などの光学パラメータや、記録されたデータの論理構造が異なる。
【０００６】
これらの特徴を持つフォーマットは、例えば記録層の深さを変えることで、１枚のディスクに、複数のフォーマットを収容することが可能である。このようなディスクは、ハイブリッドディスクと呼ばれる。なお、同一フォーマットの記録層の数を複数として記録容量を増大させた多層ディスクも存在し、既に広く利用されている。
【０００７】
従って、情報再生装置や情報記録再生装置においては、装填された光ディスクの少なくとも１つの記録層から情報を再生し、その結果に基いて記録層に適用されているフォーマットを特定するための時間（起動時間）が必要である。
【０００８】
また、プレーヤ装置やレコーダ装置等において、ハードディスク装置を記憶装置として有する場合には、ＡＴＡＰＩ（ａｔｔａｃｈｍｅｎｔ  ｐａｃｋｅｔ  ｉｎｔｅｒｆａｃｅ，エンハンストＩＤＥインターフェースをＡＮＳＩ（米国規格協会）で標準化した規格、特にＣＤ−ＲＯＭドライブやＤＶＤドライブ等の、ハードディスク以外の補助記憶装置を接続する（データ転送速度を制御する）ために用いられるインターフェース）等により準拠した特定の手続きが必要である。
【０００９】
特許文献１には、ドライブ装置に装填されている光ディスクにレーザ光を照射し、その際に得られる反射光に基づく信号のピーク数、ピークタイミングを観測し、その観測結果から光ディスクの種別を判別し、その判別結果に基いてディスク種別に応じた設定処理を行う再生装置および再生方法が示されている。
【特許文献１】特開２０００−１７３１６２
【発明の開示】
【発明が解決しようとする課題】
【００１０】
しかしながら、特許文献１には、今日普及が進んでいるＨＤ  ＤＶＤ規格とＤＶＤ規格とが一枚のディスクに用意されたハイブリッドディスクやブルーレイ規格とＤＶＤ規格とが一枚のディスクに用意されたハイブリッドディスクに対する設定処理において、フォーマットを特定するための時間を短縮する方法の言及がない。
【００１１】
また、特にＡＴＡＰＩ対応のディスクドライブ装置においては、特定のフォーマットを初期設定とするディスク種別毎の設定処理が必要であり、初期設定と異なるフォーマットの記録層（ディスク種別）が検出された時点で、二回の初期設定（設定処理のやり直し）動作が必要となる。
【００１２】
この発明の目的は、異なるフォーマットに対応した複数の記録層を有するハイブリッドディスクから情報を再生し、もしくは記録層が対応するフォーマット（規格）に応じて、記録媒体に情報を記録する際の起動時間である待ち時間を低減可能な情報記録再生装置及び情報記録再生方法を提供することである。
【課題を解決するための手段】
【００１３】
この発明は、上記問題点に基づきなされたもので、ディスク状の記録媒体に記録されている情報を読み出すディスクドライブユニットと、前記ディスクドライブユニットと一体的に設けられ、記録媒体に記録されている情報に対応する出力を表示あるいは再生する情報再生装置本体と、前記ディスクドライブユニットにより記録媒体から情報を読み出す際の起動時のシーケンスを、記録媒体の記録層のフォーマットに基いて変更可能とする設定処理装置と、を有する情報記録再生装置である。
【発明の効果】
【００１４】
この発明の実施の形態の１つによれば、ハイブリッドディスクに記録されているコンテンツを再生する際に、ユーザーが、『デフォルトのフォーマットレイヤー』を設定可能であるから、異なるフォーマットのレイヤー（記録層）へのアクセス（マウント処理）に必要な時間が、実質的に、１回のマウント処理に要求される時間のみに、低減される。すなわち、不要な再マウント処理が実行されることを抑止できる。
【００１５】
従って、ＡＴＡＰＩインターフェースに準拠したコンテンツが記録されたハイブリッドディスクから特定のフォーマットのコンテンツを再生する際の待機時間が最小になる。
【００１６】
また、ホストユニットとディスクドライブユニットとの間のコマンドのやり取りが簡略化される。
【発明を実施するための最良の形態】
【００１７】
以下、図面を参照して、本発明の実施の形態の一例について説明する。
【００１８】
図１に、この発明の実施の形態の一例が適用される情報記録再生装置の概略を示す。なお、図１に示す情報記録再生装置としては、映像（ビデオ）及び音声（オーディオ）が記録可能なレコーダ装置やビデオカメラ等も含まれる。もちろん、パーソナルコンピュータ（ＰＣ）もしくはＰＣに接続可能なディスクドライブ装置、あるいは自動車等に搭載可能なナビゲーション装置であってもよいことはいうまでもない。
【００１９】
情報記録再生装置１（図１）は、詳述しないが、記録媒体すなわち光ディスクに保持されているデータを読み出し、もしくは光ディスク（記録媒体）にデータを記録するディスクドライブユニット３と、光ディスクから読み出したデータを再生し、あるいは光ディスクに記録すべきデータを処理するホストユニット５と、ディスクドライブユニット３とホストユニット５との間のデータの転送に用いられるＡＴＡＰＩ（ａｔｔａｃｈｍｅｎｔ  ｐａｃｋｅｔ  ｉｎｔｅｒｆａｃｅ  ）ユニット（インターフェースユニット）７を含む。なお、ＡＴＡＰＩユニット７は、独立して用意される必要はなく、例えばホストユニット５に一体に組み込まれてもよい。
【００２０】
ディスクドライブユニット３は、図２に概略を示すが、光ディスクＭを支持し、所定の回転数で回転させるディスクモータ３１、ディスクモータ３１の起動・停止及び回転数を制御するディスクモータドライバ３３、光ディスクＭの記録面に所定波長の光を集光するとともに光ディスクＭの記録面で反射した反射光を捕捉する対物レンズ３５−１を含み、対物レンズ３５−１を光ディスクＭの半径方向及び記録面と直交する方向のそれぞれに移動可能に保持するとともに、ディスクモータ３１により所定速度で回転される光ディスクＭの記録面に対向され、詳述しない送り機構により光ディスクＭの半径方向に沿って往復動されるピックアップ（ＰＵＨ）３５、並びに後段に説明する信号処理ブロック（制御ブロック）３７を含む。
【００２１】
ＰＵＨ３５は、詳述しないが、対物レンズ３５−１及び信号処理ブロック３７に加え、光ディスクＭの記録面がＨＤ  ＤＶＤ規格の記録層（レイヤー）を含む際に、その記録層への情報の記録及び記録層からの情報の再生に用いる波長４０５ｎｍのレーザ光を出力可能な第１のレーザ素子（レーザダイオード）と、光ディスクＭがＤＶＤ規格の記録層（レイヤー）を含む際に、その記録層への情報の記録及び記録層からの情報の再生に用いる波長６５５ｎｍのレーザ光を出力可能な第２のレーザ素子（レーザダイオード）と、ＣＤ規格の光ディスクへの情報の記録及び同光ディスクからの情報の再生に用いる波長７８０ｎｍのレーザ光を出力可能な第３のレーザ素子（レーザダイオード）と、光ディスクＭの記録面で反射された反射レーザ光を検出してその強度に対応する出力信号を出力する光検出器（Ｐｈｏｔｏ  Ｄｉｏｄｅ，ＰＤ）３５−２を含む。なお、ＣＤ規格の光ディスクに対応する第３のレーザ素子は、省略されることもある。
【００２２】
対物レンズ３５−１は、詳述しないレンズホルダにより保持された状態で、ＰＵＨ３５内の所定の位置に、図示しないワイヤーあるいは薄い板ばね等により、支持されている。
【００２３】
レンズホルダ及びＰＵＨ３５の所定の位置には、レンズホルダに設けられた図示しないコイルまたはマグネットと対応して、マグネットあるいはコイルが設けられている。従って、レンズホルダは、ＰＵＨ３５に設けられたマグネットまたはコイルからの磁界に反発及び吸引されることで、光ディスクＭの記録面と直交する方向（フォーカス方向）及び光ディスクの半径方向（トラック方向）のそれぞれの方向に、所定の距離だけ、移動自在である。
【００２４】
対物レンズ３５−１は、レンズホルダがフォーカス方向及びトラック方向のそれぞれに移動されることで、記録面の任意の記録層（レイヤー）と対物レンズ３５−１との間の距離を対物レンズ３５−１に固有の焦点距離に一致させるフォーカス制御（フォーカシング）、並びに記録面の任意の記録層（レイヤー）に形成されたトラックもしくは記録マーク（ピット）列の中心と対物レンズ３５−１を通過する（対物レンズ３５−１に戻った）光の主光線とを一致させるトラック制御（トラッキング）により、目標とする記録層との間隔及び位置が制御される。
【００２５】
光ディスクＭの記録層の規格に合わせた波長の光を出射する（選択された）レーザ素子から出力された所定波長のレーザ光は、ＰＵＨ３５の内部に設けられる所定の光学部品を介して、対物レンズ３５−１に案内される。
【００２６】
光ディスクＭの記録面で反射された反射レーザ光は、対物レンズ３５−１により捕捉され、ＰＵＨ３５の内部に設けられる所定の光学部品を介して、ＰＤ（光検出器）３５−２に案内される。なお、ＰＤ３５−２は、互いに直交する２つの分割線により区分された４つの受光領域が形成された受光面を有し、周知のフォーカス制御／トラック制御のためのエラー成分の検出に利用可能な所定の出力信号を出力する。
【００２７】
信号処理ブロック３７は、ＰＤ３５−２から出力された出力信号から生成されるフォーカスエラー信号及びトラックエラー信号に基いて、対物レンズ３５−１の位置を制御するためのフォーカスサーボ信号及びトラックサーボ信号を生成するサーボコントローラ３７−１、ＰＤ３５−２からの出力信号に基いて、ＲＦ信号（再生出力）を生成するＲＦ回路３７−２、詳述しないモニタ検出器の出力に基いて、各レーザ素子から出射されるレーザ光の強度を設定するレーザ駆動回路３７−３、記録層への情報の記録に際し、記録すべきデータに対応してレーザ素子から出力されるレーザ光を変調するレーザ変調回路３７−４等を含む。
【００２８】
サーボコントローラ３７−１は、レンズホルダに保持された対物レンズ３５−１の位置を、光ディスクＭの記録層の規格に対応する波長のレーザ光が、オンフォーカス状態及びオントラック状態となるよう、フォーカスエラー信号及びトラックエラー信号に基いて、制御するための駆動信号を出力する。すなわち、サーボコントローラ３７−１は、レンズホルダ及びレンズホルダに保持された対物レンズ３５−１をフォーカス方向及びトラック方向に移動させるための制御量をフォーカスサーボ信号及びトラックサーボ信号として、レンズホルダまたはＰＵＨ３５の所定の位置に設けられているコイルに、供給する。
【００２９】
なお、フォーカスエラー信号及びトラックエラー信号の生成、フォーカスサーボ信号及びトラックサーボ信号の生成、あるいはＲＦ信号の生成等については、既に多くの方法が実用化されており、任意の方法が適用可能であるから、ここでは詳細な説明を省略する。
【００３０】
ホストユニット５は、図３に示すように、ＡＴＡＰＩユニット（インターフェースユニット）７を介してディスクドライブユニット３と接続されるとともに、制御バス９に接続されたＭＰＵ（ＣＰＵを含むメイン処理ユニット）５１を含む。
【００３１】
ＭＰＵ５１は、ＣＰＵ（主制御ユニット）に加え、例えばハードディスクドライブ（ＨＤＤ）ユニット５３、メインメモリ（Ｓｙｎｃｈｒｏｎｏｕｓ  Ｄｙｎａｍｉｃ  Ｒａｎｄｏｍ  Ａｃｃｅｓｓ  Ｍｅｍｏｒｙ，ＳＤＲＡＭ）５５、ＣＯＤＥＣ（エンコーダ／デコーダ）ユニット５７、及びＯＳＤ（Ｏｎ  Ｓｃｒｅｅｎ  Ｄｉｓｐｌａｙ，オンスクリーンディスプレイ）ユニット５９等を含む。
【００３２】
ＨＤＤユニット５３は、例えば動画データ（ビデオ信号）及びオーディオ（（音楽を含む）音声信号）データ等の光ディスクＭから読み出されたデータの保持あるいは光ディスクＭに記録すべきデータを保持する。もちろん、動画データ等は、図示しない外部インターフェースやネットワークを経由して、外部装置やネットワーク上のサーバー等から供給されるものであってもよい。
【００３３】
メインメモリ（ＳＤＲＡＭ）５５は、例えば動画データの展開や表示のための再配置等に用いられるワークメモリとして利用される。また、図示しない操作部からの入力情報の一時的な保持等にも利用される。
【００３４】
ＣＯＤＥＣ（エンコーダ／デコーダ）ユニット５７は、光ディスクＭに記録すべきデータやＨＤＤユニット５３に保持されているデータの圧縮及び伸長に用いられ、動画については、例えばＨ．２６４、ＶＣ１、ＭＰＥＧ２、ＭＰＥＧ４  ＡＶＣ（単に、ＡＶＣと称されることも多い）等と呼ばれる少なくとも１つの規格に準拠したものが用意される。また、静止画については、例えばＰＮＧ、ＪＰＥＧ（ＪＰＧ）、テキストとしてのＰＤＦ等の規格が用いられる。一方、オーディオについては、例えばＡＡＣ（Ａｄｖａｎｃｅｄ  Ａｕｄｉｏ  Ｃｏｄｉｎｇ）、ＡＣ−３（Ａｕｄｉｏ  Ｃｏｄｅ  ｎｕｍｂｅｒ  ３）、ＤＴＳ（Ｄｉｇｉｔａｌ  Ｔｈｅａｔｅｒ  Ｓｙｓｔｅｍ）、リニアＰＣＭ等が用意される。
【００３５】
ＯＳＤユニット５９は、情報記録再生装置１に設けられる図示しない表示部、例えばＬＣＤ（Ｌｉｑｕｉｄ  Ｃｒｙｓｔａｌ  Ｄｉｓｐｌａｙ）パネルやＥＬ（Ｅｌｅｃｔｒｏｌｕｍｉｎｅｓｃｅｎｃｅ）パネル等に表示されるコンテンツ（映像あるいはジャケット写真と呼ばれる静止画もしくは文字情報）あるいはコンテンツに付属するコンテンツとは独立の映像あるいは静止画や文字情報と、図示しない操作部による入力（操作情報）や動作状態を示す表示等を１つの画像として表示させるために用いられる。なお、情報記録再生装置１に、図示しない外部モニタ装置が接続されている場合には、同一の表示が外部モニタ装置に表示される。
【００３６】
ところで、情報記録再生装置１では、再生すべき（あるいは記録可能な）光ディスクＭがディスクドライブユニット３にセット（挿入）された際に、所定のシーケンス（ルーティン）に従って、最初にディスクの種類とフォーマットが検出される（以下、マウント処理と呼称する）。
【００３７】
マウント処理は、図４に示すように、主に、［Ａ］ディスクのスピンアップ（所定速度での回転）、［Ｂ］ディスク種別判別、［Ｃ］サーボ系の調整、及び［Ｄ］論理情報のイニシャライズ（初期化）等で構成される。なお、［Ｃ］サーボ系の調整と［Ｄ］論理情報のイニシャライズについては、光ディスクＭが２以上の記録層を有する場合に、それぞれの記録層の規格（フォーマット）を検出した以降のシーケンスであり、特に［Ｃ］サーボ系の調整については、ＨＤ  ＤＶＤ規格（フォーマット（再生専用で１５ＧＢ、記録可能で２０ＧＢ，３０．２４Ｍｂｐｓの転送レートが利用可能））の記録層へのフォーカシングとＤＶＤ規格（フォーマット（４．７ＧＢ，１０．０８Ｍｂｐｓの転送レートが利用可能））の記録層へのフォーカシングとで、シーケンスが異なる。
【００３８】
シーケンスの一例としては、始めに、ホストユニット５からディスクドライブユニット３に対し、［１］ＳＴＡＲＴ  ＳＴＯＰ  ＵＮＩＴとして、ディスクのマウント開始が指示され、［２］引き続いて、ＴＥＳＴ  ＵＮＩＴ  ＲＥＡＤＹにより、マウント処理が終了したか否かがチェックされる。
【００３９】
マウント処理（上述の［Ａ］に引き続く［Ｂ］ディスク種別判別、［Ｃ］サーボ系の調整、及び［Ｄ］論理情報のイニシャライズ）が終了した場合、ディスクドライブユニット３からホストユニット５に、［５］ＲＥＡＤＹが戻される。
【００４０】
ホストユニット５において、マウント処理の終了がチェックされると、ホストユニット５からディスクドライブユニット３に、［６］ＲＥＡＤ  ＤＩＳＣ  ＳＴＲＵＣＴＵＲＥとして、ディスクのフォーマットの読み取りが指示され、ディスクドライブユニット３からホストユニット５に、［７］ＲＥＴＵＲＮ  ＤＩＳＣ  ＩＮＦＯＲＭＡＴＩＯＮとして、ＨＤ  ＤＶＤ規格（フォーマット）の記録層が１層以上（ｎ層）含まれている／ＤＶＤ規格（フォーマット）の記録層が１層以上（ｎ層）含まれている等の、情報が戻される。
【００４１】
なお、上述のように、特に［Ｃ］サーボ系の調整については、ＨＤ  ＤＶＤフォーマットの記録層へのフォーカシングとＤＶＤフォーマットの記録層へのフォーカシングとで、シーケンスが異なるため、シーケンスとして、例えばＨＤ  ＤＶＤフォーマットの記録層にフォーカシングするようなシーケンスが用意されている場合に、最初に検出できた記録層がＤＶＤフォーマットである場合（逆の場合もある）には、［４］ＮＯＴ  ＲＥＡＤＹがディスクドライブユニット３からホストユニット５に戻される。すなわち、デフォルトシーケンスとして用意されているフォーマットとディスクドライブユニットに挿入されたディスクの最初に検出すべき記録層（レイヤー）のフォーマットが異なる場合、ディスクモータ３１の回転が、一旦一定レベル以下に落とされ、デフォルトシーケンス（プログラム）が異なるフォーマット用に切り換えられた後、再び回転されることが要求される。
【００４２】
このように、特にディスク種別判別［Ｂ］及びサーボ系の調整［Ｃ］は、複数のフォーマットに対応するドライブ（情報記録再生装置）１では、重要な工程となる。
【００４３】
マウントを終了すると、ドライブは上述の通り、［５］“Ｒｅａｄｙ”状態となり、以降は、ホストユニット５の要求に従って動作する。なお、マウント時間は、デフォルトシーケンスと最初に検出される記録層（レイヤー）のフォーマットが一致していた場合であっても、十数秒〜数十秒である。
【００４４】
このように、ハイブリッドディスクの再生をサポートするドライブでは、図５に要部を示したように、ディスク種別判別処理によって、ハイブリッドディスクであると判断した場合、その後のマウント処理のために、どちらか一方のレイヤー（フォーマット）にフォーカスをあてなければならない（フォーカシング）。このとき、選択されるフォーマットレイヤーは、『デフォルトのフォーマットレイヤー』と呼ばれ、どのフォーマットレイヤーを『デフォルトのフォーマットレイヤー』とするかは、ドライブ１の動作に依存する。
【００４５】
図４に示したように、『デフォルトのフォーマットレイヤー』に対するマウント処理が終了すると、ドライブ１は通常のディスクの場合と同様に、［３］“Ｒｅａｄｙ”状態となる。一方、ホストユニット５は、［３］“Ｒｅａｄｙ”となった（ディスクドライブユニット３から「ＲＥＡＤＹ」が返された）時点で、ディスクドライブユニット３からディスクＭの情報を取得し、ハイブリッドディスクがマウントされたことを認識する。
【００４６】
ここで、ユーザーが意図する（再生しようと考える）フォーマット（記録層）と「ＲＥＡＤＹ」が返されたフォーマットが異なる場合、ユーザー選択によって決定された再生フォーマットレイヤーを再生するために、フォーマットレイヤーの切替えを要求するＡＴＡＰＩコマンドが発行される。すなわち、ドライブ１が持つ『デフォルトのフォーマットレイヤー』と、ユーザーがホストユニット５を介して要求した再生フォーマットレイヤーが異なる場合、ドライブ１は、要求されたフォーマットレイヤーに対し、再びマウント処理を実行する。この処理は、通常の（上述した）マウント処理と同じ動作となり、再びドライブ１が“Ｒｅａｄｙ”状態（図４の［１３］）となるまでに、十数秒〜数十秒の時間が必要となる（図４の［８］ＧＥＴ  ＰＥＲＦＯＲＭＡＮＣＥ  Ｆｏｒｍａｔ  Ｃｏｄｅ  ＝  ９０ｈ，同［９］ＲＥＴＵＲＮ  Ｅａｃｈ  Ｆｏｒｍａｔ  Ｌａｙｅｒ  Ｉｎｆｏｒｍａｔｉｏｎ，同［１０］ＳＴＡＲＴ  ＳＴＯＰ  ＵＮＩＴ  Ｗｉｔｈ  ＦＬ  Ｂｉｔ  Ｓｅｔ及び同［１１（［２］と同じ）］，同［１２（［３］と同じ）］）。
【００４７】
このような背景（現行のシーケンス）から、図６に示すように、ドライブ（情報記録再生装置）１において、ユーザーが、『デフォルトのフォーマットレイヤー』を任意に設定可能としたことで、図４における［８］〜［１０］及び［１１］，［１２］に要求される時間が低減できる。
【００４８】
詳細には、図６において、図４に示した［１］に換えて、［２１］ＳＥＴ  ＤＥＦＡＵＬＴ  ＦＯＲＭＡＴ  ＬＡＹＥＲ  （ＶＥＮＤＥＲ  ＵＮＩＱＵＥ  ＣＯＭＭＡＮＤ）を設定可能とすることで、指定されたフォーマットレイヤーを、最初にマウント処理可能となる。
【００４９】
例えば、ユーザーが、『デフォルトのフォーマットレイヤー』として、ＨＤ  ＤＶＤを指定した場合、ＨＤ  ＤＶＤフォーマットの記録層（レイヤー）とＤＶＤフォーマットの記録層（レイヤー）とが一体化されているハイブリッドディスクがディスクドライブユニット５に挿入（セット）されると、図４の［１］ＳＴＡＲＴ  ＳＴＯＰ  ＵＮＩＴに続いて、『ＨＤ  ＤＶＤフォーマット』に基いて、［２］ＴＥＳＴ  ＵＮＩＴ  ＲＥＡＤＹが実行される。
【００５０】
従って、ＨＤ  ＤＶＤフォーマットのレイヤー（記録層）とＤＶＤフォーマットのレイヤー（記録層）とが一体化されているハイブリッドディスクのＨＤ  ＤＶＤフォーマットのレイヤーのコンテンツを再生しようとするユーザーに、不用意に、ＤＶＤフォーマットによるマウント処理が実行され、その後ＨＤ  ＤＶＤフォーマットで再びスピンアップする間の待ち時間が要求されることが防止される。
【００５１】
以上説明したように、この発明の実施の形態の１つによれば、ハイブリッドディスクに記録されているコンテンツを再生する際に、ユーザーが、『デフォルトのフォーマットレイヤー』を設定可能であるから、異なるフォーマットのレイヤー（記録層）へのアクセス（マウント処理）に必要な時間が、実質的に、１回のマウント処理に要求される時間のみに、低減される。すなわち、不要な再マウント処理が実行されることを抑止できる。
【００５２】
従って、ＡＴＡＰＩインターフェースに準拠したコンテンツが記録されたハイブリッドディスクから特定のフォーマットのコンテンツを再生する際の待機時間が最小になる。
【００５３】
また、ホストユニットとディスクドライブユニットとの間のコマンドのやり取りが簡略化される。
【００５４】
なお、本発明の内容はここに記述した形態だけに限定されるものではなく、その主旨を逸脱しない範囲で、他にも様々な形態を取り得ることはいうまでもない。また、各実施の形態は、可能な限り適宜組み合わせて、もしくは一部を削除して実施されてもよく、その場合は、組み合わせもしくは削除に起因したさまざまな効果が得られる。
【図面の簡単な説明】
【００５５】
【図１】この発明の実施の形態の一例が適用可能な情報記録再生装置（プレーヤ装置）の一例を示す概略ブロック図。
【図２】図１の情報記録再生装置（プレーヤ装置）に組み込まれるディスクドライブユニットの一例を示す概略ブロック図。
【図３】図１の情報記録再生装置（プレーヤ装置）に組み込まれるホストユニットの一例を示す概略ブロック図。
【図４】図１の情報記録再生装置（プレーヤ装置）におけるマウント処理及び装着された光ディスクに関する起動処理の一例を説明する概略図。
【図５】図４に示したマウント処理におけるフォーマットレイヤーの選択の一例を説明する概略図。
【図６】図１の情報記録再生装置（プレーヤ装置）におけるマウント処理及び装着された光ディスクに関する起動処理の一例（本願の特徴部）を説明する概略図。
【符号の説明】
【００５６】
１…情報記録再生装置（プレーヤ装置）、３…ディスクドライブユニット、５…ホストユニット、７…ＡＴＡＰＩ（ａｔｔａｃｈｍｅｎｔ  ｐａｃｋｅｔ  ｉｎｔｅｒｆａｃｅ  ）ユニット（インターフェースユニット）、９…制御バス、３１…ディスクモータ、３３…ディスクモータドライバ、３５…ピックアップ、３５−１…対物レンズ、３７…信号処理ブロック（制御ブロック）、３７−１…サーボコントローラ、５１…ＭＰＵ（主制御ユニット）、５３…ハードディスクドライブ（ＨＤＤ）ユニット、５５…メインメモリ、５７…ＣＯＤＥＣ（エンコーダ／デコーダ）ユニット、５９…ＯＳＤユニット。
【図１】
2008293592.tif 000003
【図２】
2008293592.tif 000004
【図３】
2008293592.tif 000005
【図４】
2008293592.tif 000006
【図５】
2008293592.tif 000007
【図６】
2008293592.tif 000008